(57)【特許請求の範囲】
【請求項１】
花色素合成に関与する遺伝子を含む第１の発現ベクターと、
発現可能に組み込まれたＡｈＲ遺伝子を含む第１転写構造体、並びにＡｈＲリガンド刺激誘導型プロモーター及び該プロモーターによって発現可能に組み込まれた前記花色素合成に関与する遺伝子の発現を抑制する発現抑制因子を含有する第2転写構造体を含む第２の発現ベクターと、
を含む、環境負荷化学物質を花色の変化によって検知するトランスジェニック植物体であって、
前記花色素合成に関与する遺伝子は、アントシアニン、カロチノイドまたはベタレイの生合成に関わる酵素遺伝子であり、
前記発現抑制因子は、アンチセンス法、コサプレッション法又はＲＮＡｉ法により前記花色素合成に関与する遺伝子の発現を抑制する因子であり、さらに、
前記第１の発現ベクターから花色素合成に関与する遺伝子が発現することにより、ＡｈＲリガンド刺激を受ける前に花弁の色が薄い色から濃い紫色へと変化しており、その後ＡｈＲリガンド刺激に応じて花色素合成に関与する遺伝子の発現が抑制されることにより花弁の色が花色を濃い色から薄い色へと変化することを特徴とする、植物体。
【請求項２】
前記ＡｈＲ遺伝子がＤＮＡ結合ドメイン、ＡｈＲリガンド結合ドメインおよび転写活性化ドメインをコードする遺伝子であり、さらに、前記発現抑制因子が花色素合成に関与する遺伝子に対してＲＮＡ干渉作用を有する二本鎖ＲＮＡをコードする核酸であり、該核酸は前記ＡｈＲリガンド刺激誘導型プロモーターの制御下にあり、該誘導型プロモーターにはＡｈＲリガンドに応答して前記ＤＮＡ結合ドメインが結合するように構成されたものである、請求項１に記載の植物体。
【請求項３】
前記花色素合成に関与する遺伝子が、アントシアニン生合成に関与する遺伝子である、請求項１に記載の植物体。
【請求項４】
前記アントシアニン生合成に関与する遺伝子が、フラバノン３水酸化酵素（Ｆ３Ｈ）またはフラボノイド３’，５’−水酸化酵素（Ｆ３’，５’Ｈ）をコードする遺伝子である、請求項３に記載の植物体。
【請求項５】
前記ＡｈＲリガンドがダイオキシン類および／もしくは多環状芳香族炭化水素またはそれらのアナログである、請求項１に記載の植物体。
【請求項６】
前記第１転写構造体がＬｅｘＡ−ＡｈＲ８３−４９４−ＶＰ１６またはＬｅｘＡ−ＡｈＲ８３−５９３−ＶＰ１６である、請求項１に記載の植物体。
【請求項７】
前記誘導型プロモーターがＬｅｘＡプロモーター配列を含む、請求項１に記載の植物体。
【請求項８】
さらに１つ以上の所望の遺伝子を含む、請求項１に記載の植物体。
【請求項９】
前記所望の遺伝子が薬剤耐性遺伝子である、請求項８に記載の植物体。
【請求項１０】
前記所望の遺伝子がカーネーションＴＨＣ２’ＧＴ遺伝子である、請求項８に記載の植物体。
【請求項１１】
前記植物がペチュニア、トレニア、またはバーベナである、請求項１に記載の植物体。
【請求項１２】
土壌中のＡｈＲリガンドをトランスジェニック植物を用いて検出する方法であって、
請求項１に記載のトランスジェニック植物を試験すべき土壌に移植して栽培し、花色変化を観察する工程を含む、方法。
【請求項１３】
前記ＡｈＲリガンドは、ダイオキシン類および／もしくは多環状芳香族炭化水素またはそれらのアナログである、請求項１２に記載の方法。
【発明の詳細な説明】
【技術分野】
【０００１】
本発明は、環境負荷化学物質を花色の変化によって検知する植物体を作製するための植物の形質転換用ベクター、このベクターで形質転換したトランスジェニック植物、このトランスジェニック植物を用いて環境負荷化学物質を検知する方法などに関する。より具体的には、本発明は、アリルハイドロカーボン受容体（ＡｈＲ）の遺伝子を含む遺伝子群を導入した植物を用いることによって、環境中に存在するＡｈＲリガンドであるダイオキシン類および多環状芳香族炭化水素を簡便に検知する技術に関する。
【背景技術】
【０００２】
現在にいたる産業の発展の過程において、様々な化学物質が環境中に放出されてきた。その中には、環境中に残留・蓄積し、人類を含む生物の健康を脅かす原因となるような物質（以下、環境負荷化学物質という）も多く存在する。特にその中でも、極低濃度で環境に悪影響を及ぼし、社会的に問題視されてきたのがダイオキシン類と多環状芳香族炭化水素である。ダイオキシン類および多環状芳香族炭化水素（これにはベンツピレン、メチルコランスレンなどが含まれる）は環境負荷化学物質の中でも哺乳動物に対して、免疫毒性、催奇形性、発ガン性など様々な生体毒性を呈し、人間の健康のみならず生態系への影響が懸念されている物質である。
【０００３】
急性毒性はその化合物のＬＤ（致死量）で比較することができる。ダイオキシン類の中でも極めて毒性が高いとされる２，３，７，８−ＴＣＤＤのＬＤ50（５０％致死量）は対象生物により異なるが、いずれもきわめて低い濃度である。たとえば、ヒトに近いサルに対するＬＤ50は５０〜７０μｇ／ｋｇであり、他の毒物と比較しても非常に低濃度である。さらにダイオキシンは発ガン性、催奇形性、ホルモン様作用などといった多様な毒性を示すため、急性毒性が現れない低い濃度であっても体内に蓄積されることにより健康への影響が出ると言われている。また、コプラナーＰＣＢを含む他のダイオキシン類の毒性に関しても、強弱の差はあるものの、２，３，７，８−ＴＣＤＤと同様の多様な毒性を示すことが知られている（「環境ホルモン＆ダイオキシン」、化学同人、１９９９年）。
【０００４】
そこで、環境中に低濃度で存在するダイオキシン類および多環状芳香族炭化水素の分布、動態をモニタリングする技術が求められてきた。
【０００５】
従来、ダイオキシン類および多環状芳香族炭化水素のモニタリングは、モニタリングする地域の多地点から試料を採集し、実験施設に運搬した後に機器分析を行って検出および定量することによって行われてきた。しかしながら、このような機器分析は感度、精度に優れているが、分析設備と熟練技術とを必要とし、時間がかかり、しかも機器・試薬などの経費が高いという問題がある。現状では１件につき数十万円の依頼コストがかかる。従って、簡便迅速、高感度で安価な方法が求められている。
【０００６】
一方、生物はダイオキシン類および多環状芳香族炭化水素を認識して、それらを代謝する機能を有している。このような生物機能を応用してダイオキシン類等をモニタリングする方法は、有機溶媒の多用などによる二次汚染の危険性が少ないことなどから、環境負荷が小さく、公共の理解を得やすい方法であり、これまでにも、生物機能を利用して環境負荷化学物質をモニタリングする方法の開発が行われてきた。例えば、環境負荷化学物質の１つである内分泌撹乱物質のアッセイには、女性ホルモン（エストロジェン）、男性ホルモン（アンドロジェン）、甲状腺ホルモンなどの内分泌系機能に関与する受容体への応答性を指標とした方法が知られている。また、生体内における抗原抗体反応の特異性を利用した、環境負荷化学物質に特異的な免疫化学測定法なども知られている。ダイオキシン類においても、受容体を用いるインビトロアッセイ法の試薬キット、例えば、エコアッセイダイオキシンELISAキット（大塚製薬）やAhイムノアッセイキット（和光純薬工業）、Dioxin/Furan EIA kit, 60 test, Dfl-60（関東化学）などが市販化されている。
【０００７】
しかし、前記のアッセイ法はいずれも採集した試料を逐次採集地から実験室に持ち帰り、各種分析に適した試薬および機器などを使用して測定するものである。従って、実験施設のない、またはその利用が実質的に困難である場所（例えば、実験施設から遠隔地の野外）においては実施できない。さらに、前記のアッセイ法では実験施設での分析後にしか測定結果が判明しないので、採集地点における迅速なオンサイト測定はできない。
【０００８】
ダイオキシン類は、上述のように、特に哺乳類に対して極低濃度であっても強い毒性を示す。その際、ダイオキシン類は細胞内で、受容体ＡｈＲに特異的に結合する。その後、ダイオキシン類がリガンドとして結合したＡｈＲ−ダイオキシン類複合体は、ＡｈＲ核移行タンパク質（Ａｒｎｔ）とともにヘテロ２量体を形成し、核内に移行する。このヘテロ２量体はＡｈＲ中のＤＮＡ結合ドメインを介して特定のＤＮＡ配列に結合し、ＡｈＲ中の転写活性化ドメインを介して、その特定のＤＮＡ配列の３'側にある構造遺伝子の転写を活性化する（J. Biol. Chem. 270, 29270-29278, 1995）。
【０００９】
哺乳動物のＡｈＲが極低濃度のダイオキシン類をリガンドとして認識できる特徴を利用することにより、ダイオキシン類を検出しようとする試みはすでに報告されており、部分的に成功している（特開２００４−８９０６８号公報）。特開２００４−８９０６８号公報に記載されるＡｈＲリガンド特異的遺伝子誘導発現システムでは、ＡｈＲの構造を、そのアミノ末端から、(i)ＤＮＡ結合ドメイン、(ii)リガンド結合制御ドメイン、(iii)転写活性化ドメインの３つの機能領域に分割し、このうちリガンド結合制御ドメインを基本的な機能ドメインとして利用し、それに適切なＤＮＡ結合領域およびヘルペスウイルスＶＰ１６因子の転写活性化領域などの機能領域を融合している。そして、この公報には、ダイオキシン類が存在する場合に大腸菌β−グルクロニダーゼ（ＧＵＳ）遺伝子が誘導されるようなベクターを導入したタバコの場合には、５ｎＭの２０−メチルコランスレン（ダイオキシン類のアナログとして使用）により、ＧＵＳ遺伝子を発現できたことが記載されている。
【００１０】
しかしながらこの方法では、ダイオキシン類の有無を調べるために、被検植物の葉を採取してＧＵＳ染色する必要があり、簡易な方法とは言えない。
【００１１】
一方、花の色は主にアントシアニン、カロチノイド、ベタレインの３種の化合物群に由来する。その中でもアントシアニンは色相が最も広く、多くの植物種の花色に貢献している。アントシアニンを含むフラボノイドの生合成経路は詳細に研究されており、高等植物においてその経路は保存されている。アントシアニン合成に関わる酵素遺伝子もクローニングされており、これらの遺伝子の発現を人為的に調整することにより、花で蓄積するフラボノイドの構造と量を改変し、花色を変えることができることが知られている（Plant Cell Physiol.39, 1119-1126, 1998）。このような手法を用いることにより、自然には存在しない青いカーネーションやオレンジ色のペチュニアが作出されている。しかしながら、このような色の変化が、ダイオキシン類の検出に用いられた、もしくはダイオキシン類との相関関係があるという報告はない。
【００１２】
また、アントシアニン合成に関わる構造遺伝子のうち、カルコン合成酵素、フラバノン３−水酸化酵素（Ｆ３Ｈ）、ジヒドロフラボノール還元酵素、アントシアニジン合成酵素の各遺伝子の発現を抑制することにより、花の色が白くなったり、薄くなったりした報告はすでにある（Plant Cell Physiol.39, 1119-1126, 1998；Plant Cell Physiol. 44, s122, 2003； Plant Biotechnology, 21,377-387,2004）。また、ＲＮＡｉ法を用いてアントシアニン合成に関与する遺伝子の発現を抑制することにより、花の色を変えた報告もある（Plant Cell Physiol. 44, s122, 2003）。しかしながら、これらの文献には、これらの花色の変化をダイオキシン等の検出のために用いられるという記載も示唆も一切ない。
【００１３】
また、根圏を含む植物下部におけるGUSなど外来遺伝子のサイレンシングのシグナルは、植物体内を通って植物上部に移行し、植物上部においてもサイレンシングを引き起こすことが接木試験などにより示されている（EMBO J. 16, 4738-45, 1997）。しかしながら、外部から導入した外来フラボノイド代謝遺伝子の発現を根圏でRNAi法により抑制し、そのシグナルが地上部に移行して花色を変化させたという報告はない。
【００１４】
さらに、上述のダイオキシン類誘導性の転写システムとフラボノイド３'，５'−水酸化酵素などのチトクロームＰ４５０遺伝子を組み合わせると、ダイオキシン類が存在するときに花の色がピンクから青に変化するペチュニアなどを作ることができるとされている（独立行政法人農業・生物系特定産業技術研究機構生物系特定産業技術研究支援センター、[Online]、[平成17年１月27日検索]、インターネット<URL:  http://brain.naro.affrc.go.jp/tokyo/gijutu/14kadai/hp3/kobetu/10-12.htm#kobetsu11>）。しかしながら、このような植物の作出は現在のところ未だ実現されていない。
【発明の開示】
【発明が解決しようとする課題】
【００１５】
上述のような状況において、オンサイト測定が可能で、環境負荷が少なく、簡便迅速、高感度で、かつ安価な、環境中のダイオキシン類および多環状芳香族炭化水素の検出方法の開発が望まれている。
【課題を解決するための手段】
【００１６】
本発明は、上記のような課題を解決するためになされたもので、以下のような植物の形質転換用ベクター、そのようなベクターで形質転換したトランスジェニック植物、およびそのようなトランスジェニック植物を用いて環境負荷化学物質を検出する方法を提供する。
（１）環境負荷化学物質を花色の変化によって検知する植物体を作製するための植物の形質転換用ベクターであって、発現可能に組み込まれたＡｈＲ遺伝子、ＡｈＲリガンド刺激誘導型プロモーター、及び該プロモーターによって発現可能に組み込まれた所望の花色素合成に関与する遺伝子の発現を抑制する発現抑制因子を含有する、植物の形質転換用ベクター。
（２）上記（１）に記載の植物の形質転換用ベクターであって、ＤＮＡ結合ドメイン、ＡｈＲリガンド結合ドメインおよび転写活性化ドメインをコードする遺伝子を含み、さらに、花色素合成に関与する遺伝子に対してＲＮＡ干渉作用を有する二本鎖ＲＮＡ（ｄｓＲＮＡ）をコードする核酸を含み、該核酸は前記ＡｈＲリガンド刺激誘導型プロモーターの制御下にあり、該誘導型プロモーターにはＡｈＲリガンドに応答して前記ＤＮＡ結合ドメインが結合するように構成されたベクター。
（３）前記花色素合成に関与する遺伝子がアントシアニン生合成に関与する遺伝子である、上記（１）に記載のベクター。
（４）前記アントシアニン生合成に関与する遺伝子がフラバノン３水酸化酵素（Ｆ３Ｈ）またはフラボノイド3',5'-水酸化酵素（F3',5'H）をコードする遺伝子である、上記（３）に記載のベクター。
（５）前記ＡｈＲリガンドがダイオキシン類および／もしくは多環状芳香族炭化水素またはそれらのアナログである、上記（１）に記載のベクター。
（６）ＸＤ4ＶまたはＸＤ5Ｖを含む、上記（１）に記載のベクター。
（７）前記誘導型プロモーターがＬｅｘＡプロモーター配列を含む、上記（１）に記載のベクター。
（８）さらに１つ以上の所望の遺伝子を含む、上記（１）に記載のベクター。
（９）前記所望の遺伝子が薬剤耐性遺伝子である、上記（８）に記載のベクター。
（１０）前記所望の遺伝子がカーネーションＴＨＣ２'ＧＴ遺伝子である、上記（８）に記載のベクター。
（１１）前記植物がペチュニア、トレニア、またはバーベナである、上記（１）に記載のベクター。
（１２）ＡｈＲリガンドに応答して花色を変化させるトランスジェニック植物であって、上記（１）に記載のベクターで形質転換したトランスジェニック植物。
（１３）ペチュニア、トレニア、またはバーベナである、上記（１２）に記載のトランスジェニック植物。
（１４）上記（１２）に記載のトランスジェニック植物の繁殖材料。
（１５）土壌中のＡｈＲリガンドをトランスジェニック植物を用いて検出する方法であって、上記（１２）に記載のトランスジェニック植物を試験すべき土壌に移植して栽培し、花色変化を観察する工程を含む、方法。
（１６）前記ＡｈＲリガンドがダイオキシン類および／もしくは多環状芳香族炭化水素またはそれらのアナログである、上記（１５）に記載の方法。
【発明の効果】
【００１７】
本発明により初めて、ダイオキシン類および多環状芳香族炭化水素に応答して誘発される花色素関与遺伝子発現抑制作用を利用して植物の花色変化を生じさせる方法が提供される。また、本発明の環境負荷化学物質の検出方法は、オンサイト測定が可能で、環境負荷が少ないという効果を有する。さらに、本発明の好ましい検出方法は、簡便迅速、高感度で、かつ安価であるという効果も有する。
【発明を実施するための最良の形態】
【００１８】
前述したように、上記ダイオキシン類誘導性の転写システムとフラボノイド３'，５'−水酸化酵素などのチトクロームＰ４５０遺伝子を組み合わせると、ダイオキシン類が存在するときに花の色がピンクから青に変化するペチュニアなどを作ることができるとの報告がある。しかしながら、実際には、本発明者らの実験によれば、このような手法では、ダイオキシン類によるフラボノイド３'，５'−水酸化酵素遺伝子の誘導レベルが低いために、花色の変化は観察されなかった（本明細書の参考例１および２を参照）。
【００１９】
そこで、本発明者らは、環境負荷化学物質の刺激によって発現を誘導するプロモーターを用い、そのプロモーターの発現誘導によって、その被検植物の花色素の合成に関与する遺伝子の発現を抑制することにより、花色を変化させて環境負荷化学物質を検出するという発想に基づいて実験を重ねた。そして、本発明者らは、環境負荷化学物質であるＡｈＲリガンド（例えば、ダイオキシン類および／または多環状芳香族炭化水素）に応答して誘発されるＲＮＡ干渉（ＲＮＡｉ）法によって内在性の花色素に関連する遺伝子発現の抑制を誘発することにより、花色変化を生じさせることに成功し、本発明を完成させた。
【００２０】
すなわち、本発明は、環境負荷化学物質を花色の変化によって検知する植物体を作製するための植物の形質転換用ベクターであって、発現可能に組み込まれたＡｈＲ遺伝子、ＡｈＲリガンド刺激誘導型プロモーター、及び該プロモーターによって発現可能に組み込まれた所望の花色素合成関与遺伝子の発現を抑制する発現抑制因子を含有する、植物の形質転換用ベクターを提供する。
【００２１】
本明細書中で、「環境負荷化学物質」とは、環境中に放出され、環境中に残留・蓄積している間、ヒトを含む生物の健康を脅かす原因となるような、生態系に負荷を与える物質のことをいう。代表的な環境負荷化学物質としては、ＡｈＲリガンドであるダイオキシン類および多環状芳香族炭化水素が挙げられる。
【００２２】
本発明の植物の形質転換用ベクターに使用される「ＡｈＲ遺伝子」としては、ＡｈＲの構造を（１）ＤＮＡ結合ドメイン、（２）ＡｈＲリガンド結合ドメイン、および（３）転写活性化ドメインの３つの機能領域に分割して考えた場合、ヒト、マウス、ラット、モルモットなど様々な種由来の適切なＡｈＲリガンド結合ドメインを基本構造体として、それに対して適切なＤＮＡ結合ドメイン（例えば、マウスＡｈＲのＤＮＡ結合ドメインや大腸菌ＬｅｘＡタンパクのＤＮＡ結合ドメイン）、および適切な転写活性化ドメイン（例えば、ヘルペスウイルスＶＰ１６因子の転写活性化領域）などのような同種または異種の機能領域を融合したＡｈＲ融合タンパク質をコードする組み換えＡｈＲ遺伝子が好適である。もちろん、必ずしも融合タンパク質である必要はなく、上記３つのドメインが同種由来のものであってもよい。
【００２３】
本明細書中、「ＡｈＲリガンド刺激誘導型プロモーター」は、ＡｈＲリガンドのような誘導因子に応答して、所定の分子生物学的プロセスに従って、その制御下にある転写単位を転写せしめる誘導性のプロモーターを意味する。
【００２４】
本明細書中、「発現可能に組み込まれた」遺伝子とは、導入された細胞内で発現可能であるようにベクターに組み込まれている遺伝子のことをいう。「（ベクターに）発現可能に組み込まれた遺伝子」は、該遺伝子の発現を制御する適切なプロモーターのような発現制御因子を、該ベクター中の該遺伝子の発現を制御可能な位置（例えば、該遺伝子の上流）に配置することなどによって実現され得る。
【００２５】
本明細書中、「花色素合成に関与する遺伝子」とは、花を発色させるための色素の生合成に関わる一群の遺伝子のことをいい、例えば、アントシアニン、カロチノイド、ベタレインのような色素群に含まれる色素の生合成に関わる酵素遺伝子が挙げられる。本発明に使用される花色素合成関与遺伝子の好ましい例としては、アントシアニン生合成に関与する遺伝子が挙げられる。アントシアニンは、上記色素群の化合物のなかでも色相が最も広く、多くの植物種の花色に貢献しているからである。アントシアニンを含むフラボノイドの生合成経路は詳細に研究されており、高等植物においてその経路は保存されている。アントシアニン合成に関わる酵素遺伝子もクローニングされており、これらの遺伝子の発現を人為的に調整することが可能である（例えば、Ｐｌａｎｔ  Ｃｅｌｌ  Ｐｈｙｓｉｏｌ．  ３９，１１１９−１１２６，１９９８参照）。アントシアニン生合成に関与する遺伝子としては、カルコン合成酵素、フラバノン３−水酸化酵素（Ｆ３Ｈ）、ジヒドロフラボノール還元酵素、アントシアニジン合成酵素、フラボノイド３’，５’−水酸化酵素（Ｆ３’，５’Ｈ）等が知られているが、好適にはＦ３ＨまたはＦ３’，５’Ｈ遺伝子が使用される。Ｆ３Ｈはナリンゲニンをジヒドロケンフェロールに変換する反応を触媒する酵素であり、Ｆ３Ｈ遺伝子の発現を抑制することにより、ジヒドロケンフェロールより下流のフラボノイド生合成が阻害されるため、アントシアニンの蓄積が阻害される。その結果、有色の色素であるアントシアニンの蓄積により呈されている花色が減退し、白色に近い花色に変化する。Ｆ３’，５’Ｈはジヒドロケンフェロールをジヒドロミリセチンに変換する反応を触媒する酵素であり、Ｆ３’，５’Ｈ遺伝子の発現を促進することにより、ジヒドロケンフェロールからの色素変換効率の低い植物品種の花色を、薄い色から濃い紫色へと変化させることができる。また、一旦発現を促進することで濃い紫色に花色を変化させた系統に、さらに該Ｆ３’，５’Ｈ遺伝子の発現を抑制するコンストラクトを導入することで、花色を濃い紫色から再び薄い色へと変化させることも可能である。
【００２６】
本明細書中、「発現抑制因子」とは、特定の遺伝子の発現を抑制するために本発明のベクターに挿入されるＤＮＡ配列のことをいい、例えば、ＲＮＡｉ法における特定の遺伝子に対してＲＮＡ干渉作用を誘起するｄｓＲＮＡをコードするＤＮＡ配列、アンチセンス法における特定の遺伝子に対して発現抑制効果を奏するアンチセンスＲＮＡをコードするＤＮＡ配列、コサプレッション法における特定の遺伝子と同配列のＤＮＡ配列等が含まれる。一般に、植物に内在する遺伝子の発現を抑制する方法には、アンチセンス法、コサプレッション法、ＲＮＡｉ法などがこれまでに知られており、特にＲＮＡｉ法は最も効率よく内在性の遺伝子の発現抑制を起こすことが知られている（Ｐｌａｎｔ  Ｃｅｌｌ  Ｐｈｙｓｉｏｌ．  ４４，ｓ１２２．  ２００３）。したがって、本発明では、「発現抑制因子」としては、ＲＮＡ干渉作用を誘起するｄｓＲＮＡをコードするＤＮＡ配列が好ましい。また、抑制する遺伝子としては、内在する遺伝子のほか、導入・発現させた外部の遺伝子も可能であり、その場合の形質転換植物体の作出方法としては、同一ベクター上に該遺伝子およびｄｓＲＮＡをコードする該遺伝子を連結して植物に導入するか、もしくは該遺伝子とｄｓＲＮＡをコードする該遺伝子を時期を変えて２段階に分けて導入する手法が好適であるが、これに限定されない。
以下、本発明をより詳細に説明する。
【００２７】
（ベクターの構築）
本発明においては、環境負荷化学物質誘導型の遺伝子発現系を構築する。この遺伝子発現系に用いられる転写システムとしては、特にこれに限定されないが、特開２００４−８９０６８号公報に記載された転写システムが好ましく用いられる。例えば、本発明の環境負荷化学物質誘導型発現系においては、（１）構成的な発現を促す第１プロモーター配列の下流に、ＤＮＡ結合領域、核局在化シグナル配列、ＡｈＲリガンド結合制御領域および転写活性化領域を含む融合タンパク質をコードする遺伝子を繋いだものと、（２）前記ＤＮＡ結合領域と特異的に結合する配列を含む第２プロモーター配列の下流に、植物に導入された場合に当該植物の花色素合成に関与する遺伝子の発現を抑制する発現抑制因子を繋いだものを連結し、これら一連の配列を含むベクターを構築する。なお、このようなベクターの構築に際しては、特開２００４−８９０６８号公報の記載を参照することができる。
【００２８】
本発明の好ましい態様に係るベクターは、（１）ＤＮＡ結合ドメイン、ＡｈＲリガンド結合ドメインおよび転写活性化ドメインをコードする遺伝子を含み、（２）さらに、花色素合成に関与する遺伝子に対してＲＮＡ干渉作用を有するｄｓＲＮＡをコードする核酸を含み、（３）該核酸は前記ＡｈＲリガンド刺激誘導型プロモーターの制御下にあり、該誘導型プロモーターにはＡｈＲリガンドに応答して前記ＤＮＡ結合ドメインが結合するように構成される。
【００２９】
本明細書中、「ＡｈＲリガンド」とは、ＡｈＲに結合し、ＡｈＲの生理活性を誘起する物質をいう。本発明における好ましい「ＡｈＲリガンド」としては、ダイオキシン類および多環状芳香族炭化水素が挙げられる。ダイオキシン類としては、代表的には、ポリ塩化ジベンゾ−パラ−ダイオキシン（ＰＣＤＤｓ）、ポリ塩化ジベンゾフラン（ＰＣＤＦｓ）、コプラナーＰＣＢ（Ｃｏ−ＰＣＢｓ）などの物質が挙げられる。多環状芳香族炭化水素としては、代表的には、ベンツピレン、メチルコランスレンなどの物質が挙げられる。本明細書では、ＡｈＲに結合し、ＡｈＲの生理活性を誘起する限り、上記化合物のアナログ（類似体）も、「ＡｈＲリガンド」と称する。そのような化合物として、例えば、２０−メチルコランスレン（ＭＣ）、β−ナフトフラボン、インジゴ等が挙げられる。
【００３０】
本明細書中、「ＡｈＲリガンド結合ドメイン」は、例えば、ヒト、マウス、ラット、モルモットなど様々な種に由来するＡｈＲのリガンド結合ドメインを意味する。ＡｈＲリガンド刺激誘導型プロモーターを活性化し得るＡｈＲタンパク質のＡｈＲリガンド結合ドメインを構成し得る限り、いずれの種のＡｈＲリガンド結合ドメインでもよい。ＡｈＲリガンド結合ドメインには、ＡｈＲリガンドが特異的に結合し、ＡｈＲ−ＡｈＲリガンド複合体が形成される。なお、上記のＡｈＲリガンド本来の機能を失わない程度に上記ＡｈＲリガンド結合ドメインのアミノ酸配列に１個以上（例えば、１〜数個（例、６個））のアミノ酸が欠失、付加、または置換したアミノ酸配列からなるその改変体も、ここでいう「ＡｈＲリガンド結合ドメイン」に含まれるものとする。
【００３１】
本明細書中、「ＡｈＲリガンド結合ドメインをコードする遺伝子」とは、上記のＡｈＲリガンド結合ドメインをコードする遺伝子を意味する。例えば、マウスＡｈＲ（PDB Accession No. Ｄ３８４１７）のアミノ酸配列中８３−５９３位のアミノ酸配列をコードするＤＮＡ配列、８３−４９３位のアミノ酸配列をコードするＤＮＡ配列等が本発明において使用され得る。
【００３２】
本明細書中、「ＤＮＡ結合ドメイン」は、ＡｈＲタンパク質のアミノ酸配列中、誘導型プロモーターの所定の配列に結合する領域に対応するドメインのことをいい、ヒト、マウス、ラット、モルモットなど様々な種に由来するＤＮＡ結合ドメインが本発明において使用され得る。ＤＮＡ結合ドメインは、ＡｈＲ−ＡｈＲリガンド複合体が形成されると、誘導型プロモーターに結合する。なお、上記のＤＮＡ結合ドメイン本来の機能を失わない程度に上記ＤＮＡ結合ドメインのアミノ酸配列に１個以上（例えば、１〜数個（例、６個））のアミノ酸が欠失、付加、または置換したアミノ酸配列からなるその改変体も、ここでいう「ＤＮＡ結合ドメイン」に含まれるものとする。
【００３３】
本明細書中、「ＤＮＡ結合ドメインをコードする遺伝子」とは、上記のＤＮＡ結合ドメインをコードするＤＮＡ配列を意味する。ＤＮＡ結合ドメインをコードする遺伝子は、使用する誘導型プロモーターに依存して適宜選択される。例えば、マウスのＡｈＲのＤＮＡ結合ドメイン（アミノ酸残基番号１〜８２のアミノ酸配列）や、ＬｅｘＡのＤＮＡ結合ドメイン（バクテリアリプレッサーＬｅｘＡのアミノ酸残基番号１〜２０２のアミノ酸配列）をコードするＤＮＡ配列が適宜使用され得る。
【００３４】
本明細書中、「転写活性化ドメイン」とは、ＡｈＲ−ＡｈＲリガンド複合体が誘導型プロモーターにＤＮＡ結合ドメインにおいて結合したときに、誘導型プロモーターを活性化すると考えられているＡｈＲ中のドメインをいい、ヒト、マウス、ラット、モルモットなど様々な種に由来する転写活性化ドメインが本発明において使用され得る。なお、上記の転写活性化ドメイン本来の機能を失わない程度に上記転写活性化ドメインのアミノ酸配列に１個以上（例えば、１〜数個（例、６個））のアミノ酸を欠失、付加、または置換したアミノ酸配列からなるその改変体も、ここでいう「転写活性化ドメイン」に含まれるものとする。
【００３５】
本明細書中、「転写活性化ドメインをコードする遺伝子」とは、上記の転写活性化ドメインをコードする遺伝子をいい、様々な種に由来する転写活性化領域をコードするＤＮＡ配列が本発明において使用され得る。好ましくは、単純ヘルペスウイルスＶＰ１６タンパク質の転写活性化領域をコードするＤＮＡ配列に対応するＤＮＡ配列、より好ましくは、単純ヘルペスウイルスＶＰ１６タンパク質の転写活性化ドメインにおけるアミノ酸番号４１３−４９０をコードするＤＮＡ配列に対応するＤＮＡ配列が使用され得る。
【００３６】
本明細書中、「ＲＮＡ干渉」は、当該分野で使用される通常の意味で使用され、二本鎖ＲＮＡ（ｄｓＲＮＡ）が相補的な標的ｍＲＮＡの特異的な分解を促進することによって標的タンパク質の発現を特異的に抑制する現象のことをいう。本発明では、誘導型プロモーターが誘導因子により活性化されることによって、花色素合成に関与する遺伝子（例えば、フラバノン３−水酸化酵素の生合成に関与する遺伝子）に対してＲＮＡ干渉作用を有するｄｓＲＮＡが転写され、内在性の花色素合成に関連する遺伝子の発現を阻害する（図２を参照）。
【００３７】
本発明において、誘導型プロモーターは、ＤＮＡ結合ドメインを特異的に結合すると、転写活性化ドメインの作用を受けて、その制御下にある構造遺伝子の転写を活性化する。本発明において、誘導型プロモーターは、上記ＤＮＡ結合ドメインをコードするＤＮＡ配列として使用する配列に依存して適切なものが適宜選択され得る。例えば、ＤＮＡ結合ドメインをコードするＤＮＡ配列としてマウスＡｈＲのＤＮＡ結合ドメイン（アミノ酸１〜８２）をコードするＤＮＡ配列を使用する場合には、大腸菌由来の６×ＸＲＥ配列（６つのマウスＸＲＥ配列をタンデムに連結した配列）を使用することが好ましく、また、ＤＮＡ結合ドメインをコードするＤＮＡ配列として大腸菌のリプレッサーＬｅｘＡのＤＮＡ結合ドメインをコードするＤＮＡ配列を使用する場合には、８×ＬｅｘＡ−４６−Ｐ配列（カリフラワーモザイクウイルスの３５Ｓプロモーターのオペレーター領域（転写開始点から４６塩基上流）にＬｅｘＡ結合配列を８回繰り返したもの）を使用することが好ましい。
【００３８】
好ましい態様において、本発明のベクターは、さらに１つ以上の所望の遺伝子を含んでいてもよい。そのような遺伝子としては、例えば、薬剤耐性遺伝子（例えば、ＮＰＴＩＩ（ネオマイシンフォスフォトランスフェラーゼＩＩ）、カーネーションＴＨＣ２'ＧＴ、Ａｒｎｔ、フラボノイド３'−水酸化酵素、フラボノイド３'，５'−水酸化酵素、ジヒドロフラボノール４−還元酵素をコードする遺伝子などが挙げられる。これらの遺伝子は、好ましくは、適切なプロモーター（例えば、ノパリンシンターゼプロモーター、Ｍａｃプロモーター）の制御下に配置される。
【００３９】
本発明のベクターは、通常、核局在化シグナル配列に対応するＤＮＡ配列を含む。核局在化シグナル配列は、本発明のＡｈＲ遺伝子の翻訳産物であるタンパク質を細胞の核内に局在化する。好ましくは、ＳＶ４０由来の核局在化シグナル配列が使用されるが、これに限定されない。
【００４０】
本発明のベクターは、通常、それらを導入すべき宿主の種類などに依存した適切なプロモーターおよびターミネーター等の発現制御領域および複製起点等を含有する。例えば、遺伝子を植物細胞内で発現させるためには、（１）植物細胞内で機能可能なプロモーター、（２）遺伝子、および（３）植物細胞内で機能可能なターミネーターを機能可能な形で有するＤＮＡ分子（発現カセット）を作製し、植物細胞に導入する。このようなＤＮＡ分子は、プロモーターに加え、転写をさらに増強するためのＤＮＡ配列、例えば、エンハンサー配列を含んでいてもよい。用いられるプロモーターとしては、植物細胞内で機能するものであれば特に制限はないが、例えば、３５Ｓ（Ｓｈｃｅｌｌ，Ｊ．Ｓ．，１９８７，Ｓｃｉｅｎｃｅ，２３７：１１７６−１１８３）、Ｎｏｓ(Ｓｃｈｅｌｌ，Ｊ．Ｓ．，１９８７，Ｓｃｉｅｎｃｅ，２３７：１１７６−１１８３）、ｒｂｃＳ（Ｂｅｎｅｆｙ，Ｐ．Ｎ．およびＮ−Ｈ．Ｃｈｕａ，１９８９，Ｓｃｉｅｎｃｅ，２４４：１７４−１８１）、ＰＲ１ａ（Ｏｈｓｈｉｍａ，Ｍ．ら、１９９０、Ｐｌａｎｔ  Ｃｅｌｌ，２：９５−１０６）、ＡＤＨ（Ｂｅｎｅｆｙ，Ｐ．Ｎ．およびＮ−Ｈ．Ｃｈｕａ，１９８９，Ｓｃｉｅｎｃｅ，２４４：１７４−１８１）、ｐａｔａｔｉｎ（Ｂｅｎｅｆｙ，Ｐ．Ｎ．およびＮ−Ｈ．Ｃｈｕａ，１９８９，Ｓｃｉｅｎｃｅ，２４４：１７４−１８１）、Ｃａｂ（Ｂｅｎｅｆｙ，Ｐ．Ｎ．およびＮ−Ｈ．Ｃｈｕａ，１９８９，Ｓｃｉｅｎｃｅ，２４４：１７４−１８１）、）、およびＰＡＬ（Ｌｉａｎ，Ｘ．ら、１９８９、Ｐｒｏｃ．Ｎａｔｌ．Ａｃａｄ．Ｓｃｉ．ＵＳＡ，８６：９２８４−９２８８）等が挙げられる。
【００４１】
（トランスジェニック植物の作製）
上記のようなベクターの構築は、公知の制限酵素等を用いて、常法に従って行い得る。例えば、アグロバクテリウムを用いる場合には、ＰＢＩ１２１などのバイナリーベクターを、パーティクルガンを用いる場合には、ＰＵＣ１９などの大腸菌ベクターを用いることができる。さらに、当該ベクターで形質転換された植物細胞を、例えば、抗生物質耐性遺伝子などのマーカー遺伝子を用いて選抜し、適切な植物ホルモン等の条件を用いて再分化させ、目的の遺伝子で形質転換された植物体を得ることができる。
【００４２】
植物細胞へのベクターの導入は、当業者に周知の種々の方法を用いて行うことができる。例えば、アグロバクテリウム・ツメファシエンスやアグロバクテリウム・リゾゲネスを利用した間接導入法（Ｈｅｉｅｉ，Ｙ．ら、Ｐｌａｎｔ  Ｊ．，６，２７１−２８２，１９９４、Ｔａｋａｉｗａ，Ｆ．ら、Ｐｌａｎｔ  Ｓｃｉ．１１１，３９−４９，１９９５）や、エレクトロポレーション法（Ｔａｄａ，Ｙ．ら、Ｔｈｅｏｒ．Ａｐｐｌ．Ｇｅｎｅｔ，８０，４７５，１９９０）、ポリエチレングリコール法（Ｄａｔｔａ，Ｓ．Ｋ．ら、Ｐｌａｎｔ  Ｍｏｌ  Ｂｉｏｌ．，２０，６１９−６２９，１９９２）、パーティクルガン法（Ｃｈｒｉｓｔｏｕ，Ｐ．ら、Ｐｌａｎｔ  Ｊ．  ２，２７５−２８１，１９９２、Ｆｒｏｍｍ，Ｍ．Ｅ．，Ｂｉｏ／Ｔｅｃｈｎｏｌｏｇｙ，８，８３３−８３９，１９９０）などに代表される直接導入法を用いることが可能である。本発明において遺伝子導入を行う植物細胞としては、植物体に再生可能であれば特に制限がなく、例えば、懸濁培養細胞、カルス、プロトプラスト、葉の切片などを構成する細胞などが含まれる。
【００４３】
形質転換された植物細胞は、再生させることにより植物体を作出することができる。したがって、本発明はまた、別の態様において、本発明のベクターで形質転換したトランスジェニック植物を提供する。本発明のベクターで形質転換するのに好ましい植物種としては、アントシアニンが花弁にすでに蓄積している、もしくは遺伝子導入により容易にアントシアニンが蓄積する見込みのある植物種が挙げられる。さらに形質転換体取得が可能な植物種であれば、なお好ましい。このような植物種としては、例えば、ペチュニア、トレニア、バーベナ、タバコ、バラ、キク、カーネーション、金魚草、シクラメン、ラン、ドルコギキョウ、フリージア、ガーベラ、グラジオラス、カスミソウ、カランコエ、ユリ、ペラルゴニウム、ゼラニウム、チューリップなどが挙げられる。
【００４４】
本発明のベクターを植物体に導入および発現することにより、花色が改変された植物体に加えて、その繁殖材料（例えば、種子、後代、切花、塊根、塊茎、果実、切穂など）から得た植物体もまた、本発明の技術的範囲に含まれる。
【００４５】
（環境負荷化学物質の検出方法）
本発明はさらに、別の態様において、土壌中の環境負荷化学物質（例えば、ＡｈＲリガンド）を、本発明のベクターで形質転換したトランスジェニック植物を用いて検出する方法を提供する。この方法は、本発明のベクターで形質転換したトランスジェニック植物を試験すべき土壌中に移植して栽培して、花色変化を観察する工程を包含する。花色が変化した場合（例えば、花色が減退し、白色に近い花色に変化した場合）、環境負荷化学物質が検出されたと判断される。土壌中の環境化学負荷物質としては、代表的には、ＡｈＲリガンドであるダイオキシン類および／または多環状芳香族炭化水素が挙げられる。また、本発明のトランスジェニック植物は、土壌に限られず、培養培地や水、大気などに含まれる環境負荷化学物質の検出にも使用し得ることはもちろんである。
【００４６】
以下、実施例を用いて本発明をさらに具体的に説明するが、本発明の範囲はこれらの実施例に限定されない。
【実施例】
【００４７】
以下の実施例において、分子生物学的手法は特に断らない限り、ＷＯ９６／２５５００あるいはＭｏｌｅｃｕｌａｒ  Ｃｌｏｎｉｎｇ（Ｓａｍｂｒｏｏｋ  ｅｔ  ａｌ．  （１９８９）  Ｃｏｌｄ  Ｓｐｒｉｎｇ  Ｈａｒｂｏｕｒ  Ｌａｂｏｒａｔｏｒｙ  Ｐｒｅｓｓ）に記載されている方法に従った。
【００４８】
ダイオキシン類化合物を園芸植物の花色変化によってモニタリングするため、特開２００４−８９０６８号公報に記載されるＡｈＲリガンド特異的な遺伝子発現誘導因子及びその機能に基づく異種遺伝子誘導発現系の利用技術を応用した。同技術は２つの転写構造体を利用したものである。第１転写構造体は、構成的発現プロモーターならびにその制御下にあるＤＮＡ結合ドメイン・核局在化シグナル配列・リガンド結合ドメイン・転写活性化ドメインを含む。第２転写構造体は、第１転写構造体から転写翻訳されて合成されるタンパク質にリガンドが結合した時に作用する転写を活性化する誘導型プロモーターならびにその誘導型プロモーター下のレポーター遺伝子（ＧＵＳ、ＧＦＰもしくはチトクロムＰ４５０遺伝子等）からなる。本実施例では、この第２転写構造体においてダイオキシン類が存在する時に転写される遺伝子としてアントシアニン合成に関わる遺伝子（花色遺伝子）を用いることにより、花色が変化する植物を開発することを試みた。このような植物が開発された場合、ダイオキシン類が存在する場合にのみ花の色が変化することが期待され、このような植物は環境汚染の状況を簡便かつ広域にモニタリングするために有効である。
【００４９】
上記第１転写構造体として３種類の転写構造体を作製した。１つはマウスＡｈＲの転写活性化ドメインをヒト単純ヘルペスウイルスの転写活性化ドメイン（ＶＰ１６）へ入れ換えたもの（ＡｈＲＶとする（図１参照））である。他の２つはＡｈＲＶのＤＮＡ結合ドメインを大腸菌のリプレッサーＬｅｘＡのＤＮＡ結合ドメインに入れ換えたもので、特開２００４−８９０６８号公報に記載されているＬｅｘＡ−ＡｈＲ８３−４９４−ＶＰ１６、ＬｅｘＡ−ＡｈＲ８３−５９３−ＶＰ１６を用いた（それぞれを、ＸＤ4Ｖ、ＸＤ5Ｖと記載する（図１を参照））。ＸＤ4Ｖ、ＸＤ5Ｖにおいては、ＤＮＡ結合ドメインとして大腸菌由来の配列（ＬｅｘＡ）を用いているため、第１転写構造体が結合する配列は、ＡｈＲＶの場合の６×ＸＲＥ配列ではなく、８×ＬｅｘＡ−４６−Ｐ配列（カリフラワーモザイクウイルスの３５Ｓプロモーターのオペレーター領域（転写開始点から４６塩基上流）にＬｅｘＡの結合配列を８回繰り返し連結したもの）である。ＸＤ4Ｖは、ダイオキシン類結合ドメインとして、マウスＡｈＲの８３番目から４９４番目のアミノ酸配列を、ＸＤ5Ｖは、８３番目から５９３番目のアミノ酸配列を含む。すなわち、ＡｈＲの領域に関しては、ＸＤ5Ｖの方がＸＤ4Ｖよりも１００アミノ酸残基だけ長いものを用いる。
【００５０】
先ず、第１転写構造体としてＡｈＲＶ、ＸＤ4Ｖ、ＸＤ5Ｖの３種類を用い、第２転写構造体にチョウマメのフラボノイド３'５'−水酸化酵素（Ｆ３'５'Ｈ）遺伝子を用いた。ダイオキシンが土壌中に存在する場合、花色が紫に変化することでダイオキシン類をモニタリングする園芸植物を作出することを試みた。また、第２転写構造体にレポーター遺伝子としてｓＧＦＰ遺伝子を用い、ダイオキシンに応答して目的遺伝子（第２転写構造体）が発現するかどうか確認できる植物体も作出することを試みた。
【００５１】
（参考例１）
ＰＡＢ、ＰＤ4Ｂ、ＰＤ5Ｂ、およびＴＡＧのコンストラクトの構築
ＰＡＢ用コンストラクトの構築
カリフラワーモザイクウイルス３５Ｓプロモーター上流にエンハンサー配列を２回繰り返し持つＥｌ2３５Ｓプロモーター配列（Ｐｌａｎｔ  Ｃｅｌｌ  Ｐｈｙｓｉｏｌ．  ３７，４９−５９（１９９６））と、チョウマメのＦ３'５'Ｈ  ｃＤＮＡ配列（ＷＯ２００４／０２０６３７に記載）、ノパリン合成酵素（ｎｏｓ）のターミネーター配列をバイナリ−ベクターｐＢｉｎＰｌｕｓ（Ｔｒａｎｇｅｎｉｃ  Ｒｅｓｅａｒｃｈ４，２８８−２９０（１９９５））に導入してあるｐＳＰＢ７４８（ＰｌａｎｔＣｅｌｌ  Ｐｈｙｓｉｏｌ．44, s122, 2003）より、チョウマメＦ３'５'Ｈ  ｃＤＮＡとｎｏｓターミネーターの連結したＤＮＡ断片（約２．０ｋｂ）をＢａｍＨＩ消化とＥｃｏＲＩの部分消化によって回収し、ｐＢｌｕｅｓｃｒｉｐｔＩＩ  （ｓｋ−）（Ｓｔｒａｔａｇｅｎｅ社）のＢａｍＨＩ／ＥｃｏＲＩサイトに導入することにより、プラスミドｐＢ−Ｂｎとした。マウスの異物応答配列（ＸＲＥ）を６回繰り返し持つ６ｘＸＲＥプロモーター配列と、ＧＵＳ遺伝子、ｎｏｓターミネーターをｐＢｌｕｅｓｃｒｉｐｔＩＩ  （ｋｓ＋）（Ｓｔｒａｔａｇｅｎｅ社）に導入してあるｐＢｌｕｅＳＸＸＲＥＧＵＳよりＧＵＳ遺伝子とｎｏｓターミネーターの遺伝子カセットをＸｂａＩとＫｐｎＩでの消化により抜き出し、同サイトにｐＢ−ＢｎからＸｂａＩとＫｐｎＩ消化で切り出したチョウマメＦ３'５'Ｈとｎｏｓターミネーターの連結したＤＮＡ断片（約２．０ｋｂ）を挿入し、ｐＢ−Ｘ６Ｂｎを得た。バイナリーベクターｐＢｉｎ１９（Nucl.Acids Res, 12, 8711-8721, 1984）上に、カリフラワーモザイクウイルス３５Ｓプロモーターとｎｏｓターミネーターからなる発現ユニット２組にアルファルファモザイクウイルスの５'非翻訳（ＵＴＲ）配列をそれぞれ付加させたＡｈＲＶ及びＡｒｎｔを順方向に挿入したベクターｐＳＫＡＶＡｔのＳａｌＩサイトに、ｐＢ−Ｘ６ＢｎをＸｈｏＩ消化して切り出した６ｘＸＲＥプロモーター配列とチョウマメＦ３'５'Ｈ  ｃＤＮＡ、ｎｏｓターミネーター配列の遺伝子カセット（２．２ｋｂ）を導入することにより、ｐＳＰＢ１４５９を構築した（図１を参照）。ｐＳＰＢ１４５９をアグロバクテリウム・ツメファンシスＡｇｌ０株（ＢｉｏＴｅｃｈｎｏｌｏｇｙ  ９，９６３−９６７（１９９１））に導入し、ペチュニア（品種ＰＬ，Ｓｋｒ４  ｘＳｗ６３（Ｎａｔｕｒｅ，３６６，２７６−２７９を参照））をリーフディスクを用いるアグロバクテリウム法で形質転換した。アグロバクテリウムへのプラスミドの導入、形質転換の方法は公知の方法（Ｐｌａｎｔ  Ｊ．  ５，ｐ８１−９２、１９９４）によった。品種ＰＬはフラボノイド３'，５'−水酸化酵素遺伝子、フラボノイド３'−水酸化酵素遺伝子を欠損しているため花色は白ないし薄いピンクである。なお、本実施例では、品種ＰＬを用いたが、本発明の目的に使用するペチュニア品種はＰＬに限定されない。独立した形質転換ペチュニアＰＡＢを３８系統取得した。
【００５２】
ＴＡＧ用コンストラクトの構築
ＣａＭＶ３５Ｓ−ｓＧＦＰ（Ｓ６５Ｔ）−ＮＯＳ３'（Plant J, 18, 455-463, 1999）をＢａｍＨＩとＥｃｏＲＩで消化し、ｓＧＦＰ遺伝子とｎｏｓターミネーター遺伝子の連結ＤＮＡ（１．０ｋｂ）をｐＢｌｕｅｓｃｒｉｐｔＩＩ（ｓｋ−）のＢａｍＨＩ／ＥｃｏＲＩサイトに導入することにより、プラスミドｐＢ−Ｇｎを構築した。ｐＢｌｕｅＳＸＸＲＥＧＵＳよりＧＵＳ遺伝子とｎｏｓターミネーターの遺伝子カセットをＸｂａＩとＫｐｎＩで抜き出し、同サイトにｐＢ−ＧｎからＸｂａＩとＫｐｎＩ消化で切り出したｓＧＦＰとｎｏｓターミネーターの遺伝子カセット（１．０ｋｂ）を挿入、ｐＢ−Ｘ６Ｇｎを構築。ｐＳＫＡＶＡｔのＳａｌＩサイトに、ｐＢ−Ｘ６ＧｎをＸｈｏＩ消化して切り出した６ｘＸＲＥプロモーターとｓＧＦＰ、ｎｏｓターミネーターの遺伝子カセット（１．２ｋｂ）を導入、ｐＳＰＢ１４５８を構築した（図１を参照）。
【００５３】
ｐＳＰＢ１４５８をアグロバクテリウム・ツメファンシスＡｇl０株に導入し、リーフディスクを用いるアグロバクテリウム法でトレニア（商品名サマーウェーブ（登録商標）ブルー：ＳＷＢ（サントリーフラワーズ株式会社））リーフディスクに形質転換を行った。トレニアの形質転換は公知の方法（Ｓｕｚｕｋｉ  ｅｔ  ａｌ．（２０００）Ｍｏｌ．Ｂｒｅｅｄｉｎｇ  ６，ｐ２３９−２４６）によった。ＳＷＢの花色は青である。なお、本実施例では、ＳＷＢを用いたが、本発明の目的に使用するトレニアはＳＷＢに限定されない。独立した形質転換トレニア（ＴＡＧとした）を４０系統取得した。
【００５４】
ＰＤ4Ｂ，ＰＤ5Ｂ用コンストラクトの構築
特開２００４−８９０６８号公報に記載されているＡｈRリガンド特異的に遺伝子発現が誘導されるシステム（ＸＤＶ）のうち、ＬｅｘＡ−ＡｈＲ８３−４９４−ＶＰ１６（ＸＤ4Ｖ）を含むバイナリーベクターｐＧＰΩＤ4ＶＧＵＳとＬｅｘＡ−ＡｈＲ８３−５９３−ＶＰ１６（ＸＤ5Ｖ）を含むバイナリーベクターｐＧＰΩＤ5ＶＧＵＳのＧＵＳ遺伝子部分をチョウマメのＦ３'５'Ｈ  ｃＤＮＡに入れ替えたバイナリーベクターの構築を以下のように行った。ｐＧＰΩＤ4ＶＧＵＳをＸｈｏＩとＳｐｅＩにより消化してＧＵＳ遺伝子領域を除き、同サイトにＳｐｅＩＸｈｏＩ−ＦとＳｐｅＩＸｈｏＩ−Ｒのオリゴヌクレオチドによるアダプターカセットを挿入したｐＳＰＢ２２２９を作製した。同様にしてｐＧＰΩＤ5ＶＧＵＳからｐＳＰＢ２２２１を作製した。ｐＢｌｕｅｓｃｒｉｐｔＩＩ  （ｓｋ−）に含まれているチョウマメのＦ３'５'Ｈ  ｃＤＮＡ（約１．７ｋｂ）をＳｐｅＩとＸｈｏＩで消化することにより回収し、ｐＳＰＢ２２２９をＳｐｅＩとＸｈｏＩにより消化したＤＮＡ断片と連結し、ｐＳＰＢ２２２２を構築した（図１を参照）。同様にｐＳＰＢ２２２１とチョウマメＦ３'５'ＨｃＤＮＡよりｐＳＰＢ２２１９を構築した（図１を参照）。前述のように、ｐＳＰＢ２２２２をアグロバクテリウム・ツメファンシスＡｇl０株に導入し、このアグロバクテリウムを用いて、ペチュニアＰＬ株を形質転換した。独立した形質転換ペチュニア（ＰＤ4Ｂとした）を４２系統取得した。また、ｐＳＰＢ２２１９を導入した独立した形質転換ペチュニア（ＰＤ5Ｂとした）を３８系統取得した。
【００５５】
なお、使用したＳｐｅＩＸｈｏＩ−ＦおよびＳｐｅＩＸｈｏＩ−Ｒの塩基配列は、以下の通りである。
【００５６】
ＳｐｅＩＸｈｏＩ−Ｆ）５'−ｔｃｇａｃｔａｇｔｃｃｃｔｃｇａｇ−３'（配列番号：１）
ＳｐｅＩＸｈｏＩ−Ｒ）５'−ｃｔａｇｃｔｃｇａｇｇｇａｃｔａｇ−３'（配列番号：２）
【００５７】
（参考例２）
ＰＡＢ、ＰＤ4Ｂ、ＰＤ5Ｂ、およびＴＡＧのダイオキシン類薬物による誘導実験
ダイオキシン類薬物を含む培地・土壌中で形質転換体植物を栽培し、目的の遺伝子（この場合Ｆ３'５'Ｈ遺伝子またはＧＦＰ遺伝子）が発現して花色が変化するかどうかを確認する誘導実験は、誘導のかかりうる優良な系統の選抜を目的としたｉｎ  ｖｉｔｒｏの組織培養苗を用いた寒天培地での誘導実験（１次評価）と、実際に花を咲かせて花色の変化を見る土壌栽培での誘導実験（２次評価）の２段階に分けて誘導実験を行った。
【００５８】
１次評価
１次評価ではダイオキシン類として２０メチルコランスレン（ＭＣ）を用いた。ＭＣはダイオキシン類のアナログで、ＡｈＲに結合することが知られている。５μＭの２０−ＭＣを含むＭＳ寒天培地（Physiol Plant, 15, 473-493, 1962）に移植し、１週間後に葉と根を回収し、それぞれからＲＮｅａｓｙ  Ｐｌａｎｔ  Ｍｉｎｉ  Ｋｉｔ（ＱＩＡＧＥＮ社）を用いてｔｏｔａｌ  ＲＮＡを単離した。得られたｔｏｔａｌ  ＲＮＡ  １μｇよりＳｕｐｅｒ  ＳｃｒｉｐｔTM  Ｆｉｒｓｔ−Ｓｔｒａｎｄ  Ｓｙｎｔｈｅｓｉｓ  Ｓｙｓｔｅｍ  ｆｏｒ  ＲＴ−ＰＣＲ（Ｉｎｖｉｔｒｏｇｅｎ社）を用いて製造者の推奨するプロトコールに従ってｃＤＮＡを合成した。得られたｃＤＮＡのうち１μｌを鋳型とし、ＰＡＢ、ＰＤ4Ｂ、およびＰＤ5ＢではチョウマメのＦ３'５'Ｈの発現量を調べるため、ＣｈＢＨＦ−ＦとＣｈＢＨＦ−Ｒをプライマーとして用い、ＲＴ−ＰＣＲを行った。また、ＴＡＧではｓＧＦＰの発現量を調べるため、ＥＧＦＰ−Ｆ１とＥＧＦＰ−Ｒ１をプライマーとしてＲＴ−ＰＣＲを行った。反応条件は、９５℃で１分、５５℃で１分、７２℃で１分のサイクルを３０サイクルとした。なお、得られるべきＰＣＲ産物のサイズはチョウマメのＦ３'５'Ｈが０．４ｋｂ、ｓＧＦＰが０．７ｋｂである。その結果、ＰＡＢでは３８系中８系統、ＰＤ4Ｂでは４２系統中４系統、ＰＤ5Ｂでは３８系統中１２系統においてＭＣ特異的にＦ３'５'Ｈの発現量の増加が確認された。また、ＴＡＧでは４０系統中５系統においてＭＣ特異的にｓＧＦＰの発現量の増加が認められた。以上計２９系統の各系統から栄養増殖により２個体ずつを得、これらを馴化し、鉢に移植した。さらに花蕾をつけるまで１ヶ月程度温室にて栽培した。その後、各系統につき１個体の植物体をダイオキシン汚染土壌（独立行政法人農業環境技術研究所により供与を受けた）を用いた誘導実験（２次評価）に使用した。
【００５９】
なお、使用した各プライマーの塩基配列は、以下の通りである。
ＣｈＢＨＦ−Ｆ）５'−ａｇｃｔｃｇｔｇｃａｔｔｃｃｔｃａａａａｃｃ−３'（配列番号：３）
ＣｈＢＨＦ−Ｒ）５'−ｔｃｇａｔｔｃｃｇａａｃｃｃｔｔｔｇｔｃｔｃ−３'（配列番号：４）
ＥＧＦＰ−Ｆ１）５'−ａｔｇｇｔｇａｇｃａａｇｇｇｃａｇｇａ−３'（配列番号：５）
ＥＧＦＰ−Ｒ１）５'−ｔｔａｃｔｔｇｔａｃａｇｃｔｃｇｔｃｃａｔ−３'（配列番号：６）
【００６０】
２次評価
上記１次評価で選抜した２９系統の有望系統の苗をダイオキシン汚染土壌に移植、６週間にわたり花色変化とチョウマメＦ３'５'Ｈ遺伝子の発現もしくはｓＧＦＰ遺伝子の発現をＲＴ−ＰＣＲによりモニターした。使用したダイオキシン汚染土壌中のダイオキシン類濃度は３６０ｐｇ−ＴＥＱ／ｇ  土壌で、日本の国の環境基準値中の１０００ｐｇ−ＴＥＱ／ｇ  土壌より低い濃度である。花と葉を回収し、前述のようにＲＮＡを回収し、ＲＴ−ＰＣＲを行った。ＰＡＢの８系統中４系統で、ＰＤ5Ｂでは１２系統中５系統で花蕾においてダイオキシン類特異的にチョウマメＦ３'５'Ｈ遺伝子の発現を確認できた。ＰＤ4Ｂの花蕾では４系統中Ｆ３'５'Ｈ遺伝子の発現を確認できるものはなかった。ＰＡＢとＰＤ5Ｂの花蕾でＦ３'５'Ｈ遺伝子の発現していた９系統の花色は遺伝子導入株のＰＬ株の花色と同じピンク色で、花色変化は確認できなかった。ＴＡＧは葉のみサンプリングし、ＲＴ−ＰＣＲ反応を行った。５系統中４系統においてダイオキシン特異的にｓＧＦＰの発現が確認できた。
【００６１】
以上の結果より、ペチュニア・トレニアともにダイオキシン類が土壌中に存在する場合、花や葉で第２転写構造体であるチョウマメＦ３'５'ＨもしくはｓＧＦＰ遺伝子が誘導することを確認できた。しかし、おそらくその発現量が少ないため、花色変化に至らなかったと思われる。
【００６２】
（実施例１）
ＰＤ4Ｆ、ＰＤ5Ｆ、ＴＤ4Ｆ、およびＴＤ5Ｆのコンストラクト構築
参考例１および２で行ったような、ペチュニアＰＬ株でダイオキシン類によりチョウマメのＦ３'５'Ｈ遺伝子の発現を誘導する試みでは、誘導レベルが低く、花色が変化するに至らなかったと考えられる。そこで、内在性のアントシアニン合成に関与する遺伝子をダイオキシン類により特異的に抑えることで、アントシアニンの合成を抑制し、花色変化を生じさせる試みを行った。
【００６３】
本実施例においては、第２転写構造体として使用するアントシアニン合成に関与する遺伝子には、フラバノン３水酸化酵素（Ｆ３Ｈ）を用い、遺伝子発現の抑制方法としてはＲＮＡｉ法を使用した。Ｆ３Ｈはナリンゲニンをジヒドロケンフェロールに変換する反応を触媒する酵素であり、Ｆ３Ｈ遺伝子の発現を抑制することにより、ジヒドロケンフェロールより下流のフラボノイド生成が阻害される。これにより、もともと有色の色素であるアントシアニンの蓄積により呈される花色が、Ｆ３Ｈ遺伝子の発現抑制によりアントシアニンが蓄積されなくなり、白色に近い花色に変化する。
【００６４】
また、第１転写構造体にはＸＤ4ＶおよびＸＤ5Ｖの２種類を使用し、植物としては、ペチュニアおよびトレニアを用いた。
【００６５】
ＰＤ4Ｆのコンストラクト構築
ペチュニアのｄｓＦ３ＨのコンストラクトはＷＯ２００４／０１８６８２の実施例８のペチュニアＦ３ＨｃＤＮＡ二本鎖コンストラクト構築の方法によった。
【００６６】
ｐＵＣ由来のベクター上にＭａｃプロモーターとｍａｓターミネーターを載せたｐＳＰＢ５６０をＳｐｅＩとＳａｃＩ消化したサイトに、ペチュニアＦ３ＨのｃＤＮＡ遺伝子断片ＰｈＦ３Ｈ−１（ＳａｃＩ／ＣｌａＩ断片：０．７ｋｂ）とＰｈＦ３Ｈ−１'（ＳｐｅＩ／ＣｌａＩ断片：０．９ｋｂ）を３断片のＤＮＡライゲーションによって導入、ｐＳＰＢ１４９７を構築した。ペチュニアのｄｓＦ３Ｈ遺伝子カセットをｐＳＰＢ１４９７よりＳｐｅＩ消化で切り出し、上述のｐＳＰＢ２２２９のＳｐｅＩサイトに挿入、ｐＳＰＢ２２４９を構築した。ＷＯ２００４／０１８６８２の実施例６記述のｐＳＰＢ１５００からＭａｃプロモーター、カルコン２'配糖化酵素（Ｔ１７０）遺伝子、そしてｍａｓターミネーターからなる３．６ｋｂの遺伝子カセットをＡｓｃＩで切り出した後、ＤＮＡ  Ｂｌｕｎｔｉｎｇ  Ｋｉｔ（Ｔａｋａｒａ社）により平滑化（以下の平滑化は全てＤＮＡ  Ｂｌｕｎｔｉｎｇ  Ｋｉｔを使用）し、ＭＴ１７０ｍ断片を得た。ｐＳＰＢ２２４９をＳａｃＩＩで消化した後、平滑末端化し、同サイトにＭＴ１７０ｍを挿入、ｐＳＰＢ２２７４を構築した（図１参照）。なお、図１中の「カーネーションＴＨＣ２'ＧＴ」は、黄色色素であるカルコンの２'位を配糖化する酵素で、カルコン異性化酵素やカルコン自体の自動閉環によって無色色素のナリンゲニンに変化するのを防ぎ、カルコンを安定化させることから、花色を黄色にする目的のために挿入されている。しかしながら、カルコンの黄色色素は淡い色調であるとともに、ＴＨＣ配糖体の蓄積が少ないため、期待した黄色への花色変化は認められなかった。
【００６７】
上述したように、ｐＳＰＢ２２７４をアグロバクテリウム・ツメファンシスＡｇｌ０株に導入し、赤いペチュニアを形質転換した。この品種はフラボノイド３'，５'−水酸化酵素遺伝子を欠損しているため花色は赤であるが、本実験の目的には使用するペチュニアは赤い品種に限定されるものではなく、有色のものであればいずれでもよい。独立した形質転換ペチュニア（ＰＤ4Ｆとした）を１６系統取得した。
【００６８】
ＰＤ5Ｆのコンストラクトの構築
ペチュニアのｄｓＦ３Ｈ遺伝子カセットをｐＳＰＢ１４９７よりＳｐｅＩ消化で切り出し、上述のｐＳＰＢ２２２１のＳｐｅＩサイトに挿入、ｐＳＰＢ２２５０を構築した。ｐＳＰＢ１５００からＭＴ１７０ｍ断片を取得、ｐＳＰＢ２２５０のＳａｃＩＩ消化後平滑化したサイトにＭＴ１７０ｍを挿入、ｐＳＰＢ２２７５を構築した（図１参照）。上述のように、ｐＳＰＢ２２７４をアグロバクテリウム・ツメファンシスＡｇｌ０株に導入し、ペチュニアバカラレッド株を形質転換した。独立した形質転換ペチュニア（ＰＤ5Ｆとした）を１５系統取得した。
【００６９】
ＴＤ4Ｆのコンストラクト構築
シソから得られたＦ３Ｈ  ｃＤＮＡ（Ｚｈｉｚｈｏｎｇ  Ｇｏｎｇ  ｅｔ  ａｌ．（１９９７）  Ｐｌａｎｔ  Ｍｏｌ  Ｂｉｏｌ．  ３５，ｐ９１５−９２７）をプローブとして、トレニアの同酵素をコードするｃＤＮＡを以下のように取得した。プローブはノンラジオアイソトープＤＩＧ−核酸検出システム（Ｒｏｃｈｅ  Ｄｉａｇｎｏｓｔｉｃｓ社）を用いて、製造者が推奨する条件に従いＰＣＲによりラベルした。この際、鋳型として１ｎｇのｃＤＮＡを含むプラスミドを用い、プライマーとして、上記の各遺伝子特異的なオリゴヌクレオチド１００ｎｇを使用し、９５℃１分、５５℃１分、７２℃２分からなる反応を１サイクルとし、これを２５サイクル行った。シソＦ３Ｈ遺伝子のＰＣＲ増幅産物をハイブリダイゼーションのプローブとして、トレニアｃＤＮＡライブラリー（Ｓｕｚｕｋｉ  ｅｔ  ａｌ．  （２０００）  Ｍｏｌ．  Ｂｒｅｅｄｉｎｇ  ６，ｐ２３９−２４６）約２０万のファージをスクリーニングした。ハイブリダイゼーションは３０％ホルムアミドを含む５×ＳＳＣ中、３７℃で一晩行い、フィルターの洗浄は５×ＳＳＣ，１％ＳＤＳを用いて５５℃で３０分間行った。合成オリゴヌクレオチドプライマーによるプライマーウォーキング法によってｃＤＮＡ配列を決定した。これらｃＤＮＡのアミノ酸コード領域の塩基配列を配列表・配列番号：７に示した。得られたトレニアＦ３ＨｃＤＮＡは、ベクターｐＢｌｕｅｓｃｒｉｐｔＩＩ（ｓｋ−）に含まれており、これをプラスミドｐＳＰＢ２６６とした。これを鋳型とし、ベクター配列に由来するＭ１３リバースプライマー（配列番号：８）とトレニアＦ３ＨｃＤＮＡ配列に塩基置換でＳａｌＩ認識部位を挿入したプライマーＴｈＦ３Ｈ−ＳａｌＩ−１（配列番号：９）を用いて、ＰＣＲを行った。得られた約０．９ｋｂのフラグメントをｐＣＲ２．１−ＴＯＰＯ（Ｉｎｖｉｔｒｏｇｅｎ社）にクローニングし、塩基配列を確認した。同様にして、トレニアＦ３Ｈ  ｃＤＮＡ配列に塩基置換でＳａｌＩ認識部位を挿入したプライマーＴｈＦ３Ｈ−ＳａｌＩ−２（配列番号１０）とＭ１３ＲＶプライマーを用いて、約０．７５ｋｂのＤＮＡ断片を調製し、ｐＣＲ２．１−ＴＯＰＯにクローニングし、塩基配列を確認した。
【００７０】
ｐＢＥ２１１３−ＧＵＳ（Ｐｌａｎｔ  Ｃｅｌｌ  Ｐｈｙｓｉｏｌ．  ３７，４５（１９９６））をＳｎａＢＩで消化し、プロモーター下流に存在するｏｍｅｇａ配列からＧＵＳ遺伝子の５'側に相当する部分を除去し、ここにＢａｍＨＩリンカー（Ｔａｋａｒａ社）を挿入した。得られたプラスミドをｐＵＥ６とした。ｐＵＥ６をＨｉｎｄＩＩＩとＥｃｏＲＩで切断し、ＧＵＳ発現カセットを有するフラグメントを回収した。これをｐＵＣＡＡのＨｉｎｄＩＩＩとＥｃｏＲＩサイトに挿入し、得られたプラスミドをｐＳＰＢ５４１とした。ｐＳＰＢ５４１をＢａｍＨＩとＳａｃＩで切断し、ＧＵＳ遺伝子部分を除き、ここにｐＣＲ２．１−ＴＯＰＯからＢａｍＨＩとＳａｌＩ切断で切り出した０．９ｋｂのフラグメントと、ｐＣＲ２．１−ＴＯＰＯからＳａｃＩとＳａｌＩ切断で切り出した０．７ｋｂのフラグメントを両フラグメントのＳａｌＩ部位が連結するように挿入した。このようにして得られたプラスミドｐＳＦＬ３１３は、植物体に導入された場合、Ｅｌ2３５Ｓプロモーターの制御下、トレニアのＦ３Ｈ遺伝子配列に由来する二本鎖ＲＮＡを発現し、ＲＮＡｉ法によってトレニアのＦ３Ｈ遺伝子発現を抑制するために構築された。
【００７１】
なお、使用した各プライマーの塩基配列は、以下の通りである。
Ｍ１３ＲＶ）  ５'−ｃａｇｇａａａｃａｇｃｔａｔｇａｃ−３'（配列番号：８）
ＴｈＦ３Ｈ−ＳａｌＩ−１）５'−ｔｔｃｔｃｔｇｔｃｇａｃｇｃｃｃａｔｔｇｃｃ−３'（配列番号：９）
ＴｈＦ３Ｈ−ＳａｌＩ−２）５'−ｃｇｃｃｇｔｇｔｃｇａｃｔｃｇｃｔｔｇａａｇ−３'（配列番号：１０）
トレニアｄｓＦ３Ｈ遺伝子カセット（１．６ｋｂ）をｐＳＦＬ３１３よりＢａｍＨＩで切り出し、ｐＢｌｕｅｓｃｒｉｐｔＩＩ（ｓｋ−）のＢａｍＨＩサイトに導入しｐＳＰＢ２２５１を構築した。トレニアのｄｓＦ３Ｈ遺伝子カセットをｐＳＰＢ２２５１よりＳｐｅＩとＥｃｏＲＶで切り出し、前述のｐＧＰΩＤ4ＶＧＵＳをＸｈｏＩ消化した後平滑化し、その後更にＳｐｅＩ消化したサイトに挿入し、ｐＳＰＢ２２６０を構築した。ｐＳＰＢ２２６０をＳａｃＩＩで消化後平滑化、同サイトに上記のＭＴ１７０ｍ断片（３．６ｋｂ）を導入、ｐＳＰＢ２２７７を構築した（図１を参照）。前述のように、ｐＳＰＢ２２７７をアグロバクテリウム・ツメファンシスＡｇｌ０株に導入し、トレニアＳＷＢ株を形質転換した。独立した形質転換トレニア（ＴＤ4Ｆとした）を４０系統取得した。
【００７２】
ＴＤ5Ｆのコンストラクト構築
ｐＳＰＢ２２５１よりＳｐｅＩとＥｃｏＲＶで切り出したトレニアのｄｓＦ３Ｈ遺伝子カセット（１．６ｋｂ）を、ｐＧＰΩＤ5ＶＧＵＳをＸｈｏＩで消化した後平滑化し、その後更にＳｐｅＩ消化したサイトに挿入し、ｐＳＰＢ２２６１を得た。ｐＳＰＢ２２６１をＳａｃＩＩで消化後平滑化、同サイトに前述のＭＴ１７０ｍ断片（３．６ｋｂ）を導入、ｐＳＰＢ２２７８を構築した（図１を参照）。ｐＳＰＢ２２７８をアグロバクテリウム・ツメファンシスＡｇｌ０株に導入し、トレニアＳＷＢ株を形質転換した。独立した形質転換トレニア（ＴＤ5Ｆとした）を４０系統取得した。
【００７３】
（実施例２）
ＰＤ4Ｆ、ＰＤ5Ｆ、ＴＤ4Ｆ、およびＴＤ5Ｆのダイオキシン類薬物による誘導実験
外来性遺伝子（チョウマメＦ３'５'Ｈ，  ｓＧＦＰ）を導入しているＰＡＢ、ＰＤ4Ｂ、ＰＤ5Ｂ、およびＴＡＧと異なり、内在性遺伝子（Ｆ３Ｈ）を抑制させるコンストラクトを導入しているＰＤ4Ｆ、ＰＤ5Ｆ、ＴＤ4Ｆ、およびＴＤ5Ｆでは、Ｆ３Ｈの発現が花弁でしか見られないため、植物体の花蕾をサンプリングしないとダイオキシン類の影響をみることができない。そのため参考例２に示した様な１次評価はＰＤ4Ｆ、ＰＤ5Ｆ、ＴＤ4Ｆ、およびＴＤ5Ｆでは実施せず、得られた形質転換体の全てを鉢上げし、ダイオキシン類汚染土壌に移植・栽培する２次評価のみの誘導実験を実施した。
【００７４】
２次評価
ＰＤ4Ｆの１６系統、ＰＤ5Ｆの１５系統、ＴＤ4Ｆの４８系統、ＴＤ5Ｆの４０系統を参考例２の２次評価と同様に、ダイオキシン類汚染土壌（ダイオキシン類濃度３６０ｐｇ−ＴＥＱ／ｇ  土壌）に移植し、４週間後の花色変化を観察した。
【００７５】
図３（ａ）および（ｂ）に示すように、いずれの系統も、白色への花色変化が認められた。いずれもダイオキシン類特異的にｄｓＦ３Ｈが発現した結果生じた花色変化であると考えられた。以上のようにペチュニア・トレニアにおいてダイオキシン類が土壌中に存在する場合に花色変化を示す形質転換体を取得することができた。これらペチュニアＰＤ4Ｆ、ＰＤ5ＦおよびとトレニアＴＤ4Ｆ、ＴＤ5Ｆの系統を用いることによって、土壌中のダイオキシン類汚染を、これらの花色を観察することによってモニタリングすることが可能であることが確認された。
【００７６】
（実施例３）
形質転換ペチュニアP3BおよびバーベナSk3Bの作出
前述の方法により、pSPB748をアグロバクテリウム・ツメファシエンスAgl0株に導入し、このアグロバクテリウムを用いて、ペチュニアPL株を形質転換したところ、独立した形質転換ペチュニアP3Bを27系統取得した。PL株の花色は薄いピンクであるが、得られた系統の花色は赤紫を呈した。同様に、このアグロバクテリウムを用いて、バーベナ（商品名：花手毬（登録商標）サクラ（サントリーフラワーズ株式会社））を形質転換した。形質転換は公知の方法（Plant Cell Rep. 21, 459-466, 2003）によった。この形質転換により、独立した形質転換バーベナSk3Bを6系統取得した。花手毬サクラ株の花色はピンクであるが、得られた系統の花色は紫を呈した。
【００７７】
PD5dB, SkD5dB用コンストラクトの構築
LexA-AhR83-593-VP16(XD5V)を含むバイナリーベクターpSPB2219（PD5B用コンストラクト）のチョウマメF3'5'H遺伝子部分をチョウマメのdsF3'5'H cDNAに入れ替え、35Sプロモーター−ハイグロマイシン耐性遺伝子（HPT）−nosターミネーターからなるHPT遺伝子カセットを組み込んだバイナリーベクターの構築を以下のように行った。まず、pSPB2219をSacIIで消化後平滑末端化し、同サイトに、HPT遺伝子カセットを含むバイナリーベクターpLAN101MHYG（Plant Cell Physiol. 41, 1397-1406, 2000）から同カセットをHindIIIで消化して切り出し、平滑末端化したものを挿入してpSPB2295を構築した。次に、pBluescriptII (sk-)ベクターをSpeIとBamHIで消化したサイトに、pSPB748から得たチョウマメF3'5'HのcDNA遺伝子断片BHF-1(SpeI/HincII消化後平滑末端化した断片:0.6kb)とBHF-1'(BamHI/FokI消化後平滑末端化した断片:0.9kb)を3断片のDNAライゲーションによって導入し、チョウマメdsF3'5'H遺伝子カセット(1.5kb)を有するpSPB2727を構築した。前述のpSPB2295をXhoIとSpeIにより消化してチョウマメF3'5'H遺伝子領域を除き、同サイトにpSPB2727をXhoIとSpeIにより消化して切り出したチョウマメdsF3'5'H遺伝子カセットを挿入し、pSPB2736を構築した(図１参照)。
【００７８】
形質転換ペチュニアPD5dBおよびバーベナSkD5dBの作出
前述の形質転換で得られたP3Bのうち、最も花色変化の大きかったP3B-3株を親株として、pSPB2736を導入したアグロバクテリウムを用いて形質転換を行い、独立した形質転換ペチュニアPD5dBを13系統取得した。同様にして、Sk3Bの中で、最も花色変化の大きかったSk3B-5株を親株として形質転換を行った。形質転換は公知の方法（Plant Cell Rep. 21, 459-466, 2003）を一部改変してハイグロマイシンによる選抜を行った。この形質転換により、独立した形質転換バーベナSkD5dBを14系統取得した。
【００７９】
PD5dBおよびSkD5dBのダイオキシン汚染土壌による誘導実験
ダイオキシン類を含む土壌中で形質転換植物を栽培し、チョウマメF3'5'H遺伝子の発現が抑制されて花色が変化するかどうかを確認するため、土壌栽培での誘導実験を行った。
【００８０】
PD5dBおよびSkD5dBの各系統から栄養増殖により2個体ずつを得、これらを馴化し、鉢に移植した。さらに花蕾をつけるまで1ヶ月から2ヶ月程度温室にて栽培した。その後、各系統につき1個体の植物体をダイオキシン汚染土壌（独立行政法人農業環境技術研究所により供与を受けた）に移植し、PD5dBは10週間、SkD5dBは14週間栽培し、花色変化を観察した。使用したダイオキシン汚染土壌中のダイオキシン類濃度は前述のとおりである。
【００８１】
図３（ｃ）に示すように、PD5dBでは花色がピンクに変化した系統が認められた。SkD5dBではいずれの系統も花色変化の割合が小さかったため、リアルタイムPCRによる遺伝子発現解析を行った。ダイオキシン土壌に移植後14週目のバーベナから葉をサンプリングし、前述の方法でRNAを回収し、cDNAを合成した。チョウマメF3'5'Hの発現量を調べるため、得られたcDNAのうち1μlを鋳型とし、プライマーとしてBHF-FとBHF-Rを、プローブとしてBHF-Tを用い、TaqMan Universal PCR Master Mix(Applied Biosystems社)を使用してリアルタイムPCRを行った。リアルタイムPCRの手法については、製造者の推奨するプロトコールに従った。また、比較対象として非汚染土壌での発現量も調べるため、各系統とも残り1個体は汚染土壌に移植せずに温室内で栽培を続け、同様の方法でリアルタイムPCRを行った。結果を表１に示す。
【表１】
0004912292.tif 000002
【００８２】
表中の数字は、本発明のベクターで形質転換したバーベナを、ダイオキシン類の非存在下および存在下で栽培した場合の、葉におけるチョウマメF3'5'H遺伝子の発現量の比、すなわち（存在下での発現量）／（非存在下での発現量）を示す。
【００８３】
表１から明らかなように、本発明のベクターを用いて形質転換したバーベナは、ダイオキシン類による発現抑制がかかったことが明らかとなった。
【００８４】
なお、使用した各プライマーおよびプローブの塩基配列は、以下の通りである。
BHF-F) 5'-GCTCATCATACCAACGAGTCTCA-3'（配列番号11）
BHF-R) 5'-GATGATGTATCTGTGCCTGCAGT-3'（配列番号12）
BHF-T) 5'-FAM-AACTGTCGCTCACCAACATCAAAGCACTC-TAMRA-3'（配列番号13）
【産業上の利用可能性】
【００８５】
本発明のベクターは、植物細胞を形質転換するために使用することができ、本発明のベクターで形質転換した植物は、ＡｈＲリガンドに応答して花色を変化させることができる。したがって、このようなトランスジェニック植物は、例えば、土壌中のダイオキシン類のような環境負荷化学物質の存在を検出するためオンサイト測定が可能で、環境負荷が少なく、簡便迅速、高感度で、かつ安価な検出方法として有用である。
【図面の簡単な説明】
【００８６】
【図１】参考例１および２で使用した発現コンストラクト（ＰＡＢ、ＰＤ4Ｂ、ＰＤ5Ｂ、およびＴＡＧ）ならびに実施例１および２および３で使用した発現コンストラクト（ＰＤ4Ｆ、ＰＤ5Ｆ、ＴＤ4Ｆ、ＴＤ5Ｆ、ＰＤ5ｄＢ、およびＳｋＤ5ｄＢ）の構成を模式的に表わす図を示す。
【図２】本発明におけるＲＮＡ干渉の作用を模式的に表わす図を示す。
【図３】本発明のベクターで形質転換したペチュニアおよびトレニアを、ダイオキシン類の非存在下および存在下でそれぞれ栽培した場合の花色を表わす写真を示す。（ａ）および（ｂ）は実施例１および２に対応し、（ｃ）は実施例３に対応する。
【００８７】
なお、図中のアルファベットが示す略号（：サイズ  ［アクセッション番号］）は、下記の事項を表す。
ａ：  ＡｈＲ：１．２ｋｂ，  Ｄ４：１．２ｋｂ，  Ｄ５：１．５ｋｂ  ［Ｄ３８４１７］
ｂ：  Ａｒｎｔ：２．１ｋｂ  ［Ｕ１４３３３］
ｃ：  ＸＲＥ：０．１ｋｂ
ｄ：  ５'−ＵＴＲ（Ｕ）
ｅ：  ＣａＭＶ３５Ｓ−ｐｒｏｍｏｔｅｒ（３５Ｓ−Ｐ）：０．２ｋｂ  ［Ｅ０５２０６］
ｆ：  ｍａｓ−ｔｅｒｍｉｎａｔｏｒ（Ｔ２）：０．８ｋｂ
ｇ：  Ｍａｃ−ｐｒｏｍｏｔｅｒ（Ｍａｃ−Ｐ）：１．２ｋｂ
ｈ：  ＮＰＴＩＩ：１．０ｋｂ  ［Ｕ０９６３５］
ｉ：  ＨＰＴ：１．０ｋｂ  ［ＡＦ３０９８２５］
ｊ：  ＬｅｘＡ（Ｘ）：０．６ｋｂ  ［ＡＦ３０９８２５］
ｋ：  ＬｅｘＡ  ｂｉｎｄｉｎｇ  ｄｏｍａｉｎ（８ｘＬｅｘＡ）：０．３ｋｂ  ［ＡＦ３０９８２５］
ｌ：  ＶＰ１６（Ｖ）：０．２ｋｂ  ［ＡＦ３０９８２５］
ｍ：  ＧＦＰ：０．７ｋｂ  ［ＡＹ５９８４２８］
ｎ：  チョウマメＦ３'５'Ｈ：１．７ｋｂ
ｏ：  トレニアｄｓＡＮＳ：１．０ｋｂ
ｐ：  トレニアｄｓＦ３Ｈ（Ｔｒ）：１．７ｋｂ
ｑ：  ペチュニアｄｓＦ３Ｈ（Ｐｔ）：１．６ｋｂ
ｒ：  バーベナｄｓＦ３Ｈ（Ｈａ）：１．９ｋｂ
ｓ：  カーネーションＴＨＣ２'ＧＴ：１．７ｋｂ
ｔ：  ＮＰＴＩＩとＨＰＴのプロモーターに使用しているＮｏｓ−ｐｒｏｍｏｔｅｒ：０．３ｋｂ  ［Ｕ０９３６５］
ｕ：  ＮＰＴＩＩとＨＰＴのプロモーターに使用しているＮｏｓ−ｔｅｒｍｉｎａｔｏｒ
（Ｔ１）：０．３ｋｂ  ［Ｕ０９３６５］
ｖ：  Ｇ１０−９０ｐｒｏｍｏｔｅｒ（Ｇ１０−９０−Ｐ）：０．２ｋｂ  ［ＡＦ３０９８２５］
ｗ：  Ω配列（Ｇ１０−９０−ＰとＸＤ4Ｖ／ＸＤ5Ｖの間に挿入）
ｘ：  核移行シグナル（ＸＤ4Ｖ／ＸＤ5ＶのＸとＤ4／Ｄ5の間に挿入）
ｙ：  ＲｂｃＳ  Ｅ９−ｔｅｒｍｉｎａｔｏｒ（Ｔ３）：０．５ｋｂ  ［ＡＦ３０９８２５］
ｚ：  ＲｂｃＳ  ３Ａ−ｔｅｒｍｉｎａｔｏｒ（Ｔ４）：０．５ｋｂ  ［ＡＦ３０９８２５］
α：  ラット由来のグルココルチコイドレセプター３'非翻訳領域［ＡＦ３０９８２５］
β：  チョウマメｄｓＦ３'５'Ｈ：１．５ｋｂ
【図１】
0004912292.tif 000003
【図２】
0004912292.tif 000004
【図３】
0004912292.tif 000005
【配列表】
0004912292000001.app